(57)【特許請求の範囲】
【請求項１】
下記成分
（ａ）アルキルポリグリコシド  １５〜３５重量％
（ｂ）アルキルアミンオキサイド  ０．１〜１０重量％
（ｃ）炭素数８〜１８の脂肪酸  ０．１〜４重量％
を含有し、（ａ）／（ｃ）＝１０〜１００（重量比）であり、２０℃におけるｐＨが６〜８であり、且つ全（ｃ）成分中のカプリン酸の比率が５重量％以下、ラウリン酸の比率が９０重量％以上、ミリスチン酸の比率が５重量％以下であり、更にアルキルヒドロキシスルホベタインを０．１〜５重量％含有する食器用液体洗浄剤組成物。
【請求項２】
更に炭素数２〜８のポリカルボン酸を０．１〜１０重量％含有する含有する請求項１記載の食器用液体洗浄剤組成物。
【請求項３】
アルキルベンゼンスルホン酸、ポリオキシエチレンアルキルエーテル硫酸、アルキル硫酸及びアルファオレフィン硫酸並びにこれらの塩の含有量が１．０重量％以下である請求項１又は２記載の食器用液体洗浄剤組成物。
【発明の詳細な説明】
【０００１】
【発明の属する技術分野】
本発明は液体洗浄剤組成物に関する。
【０００２】
【従来の技術及び発明が解決しようとする課題】
アルキルポリグリコシドは皮膚に対する温和性の点では優れているが、油汚れの存在下では洗浄力及び起泡力において不十分であることが知られている。そのためアルキルポリグリコシドに、スルホン酸基又は硫酸基を有する非石鹸性の陰イオン性界面活性剤を併用する試みがなされている。例えば、特開昭５８−１０４６２５号公報にはアルキルポリグリコシドと陰イオン界面活性剤を含有する起泡性界面活性剤組成物が、特開昭６２−７４９９９号公報にはアルキルポリグリコシド、陰イオン界面活性剤及び脂肪酸アルカノールアミドを含有する低刺激性かつ発砲力、洗浄力に優れた食器用液体洗浄剤組成物が記載されている。しかしながら、アルキルポリグリコシドとスルホン酸基又は硫酸基を有する非石鹸性の陰イオン界面活性剤を併用した場合、洗浄後の手指に界面活性剤特有のヌル付き感又は残留感が感じられ、これを改善することが望まれている。
【０００３】
本発明はアルキルポリグリコシドを主基剤とした時の、洗浄後の手指へのヌル付き又は残留感が少なく、保存安定性および洗浄力に優れ、更には泡立ちが良好な食器用の液体洗浄剤を提供することを目的とする。
【０００４】
【課題を解決するための手段】
本発明は、下記成分
（ａ）アルキルポリグリコシド  １０〜４０重量％
（ｂ）アルキルアミンオキサイド  ０．１〜１０重量％
（ｃ）炭素数８〜１８の脂肪酸  ０．１〜４重量％
を含有し、（ａ）／（ｃ）＝１０〜１００（重量比）であり、２０℃におけるｐＨが６〜８である液体洗浄剤組成物を提供する。
【０００５】
【発明の実施の形態】
（ａ）成分のアルキルポリグリコシドとしては下記一般式（Ｉ）で示されるものが好ましい。
Ｒ１（ＯＲ２）ｘＧｙ                  （Ｉ）
（式中Ｒ１  は炭素数８〜１８の直鎖のアルキル又はアルケニル基を示し、Ｒ２  は炭素数２〜４のアルキレン基を示し、Ｇは炭素数５又は６の還元糖、好ましくはグルコースに由来する残基を示し、ｘはその平均値が０〜５、好ましくは０となる数を示し、ｙはその平均値が１．０〜１．５、好ましくは、１．０〜１．４２となる数を示す。）。
【０００６】
（ａ）成分は、組成物中に１０〜４０重量％、好ましくは１５〜３５重量％配合される。
【０００７】
（ｂ）成分のアルキルアミンオキサイドは下記一般式（ＩＩ）で表されるモノ長鎖アルキルアミンオキサイドが好ましい。
【０００８】
【化１】
0003563615.tif 000002
【０００９】
（式中Ｒ３  は炭素数１０〜１６の直鎖又は分岐鎖のアルキル基、アルケニル基を示し、Ｒ４  、Ｒ５  は同一もしくは異なってメチル基又はエチル基を示す。）
一般式（ＩＩ）において、Ｒ３  は炭素数１０〜１２、Ｒ４  、Ｒ５  はメチル基が特に好ましい。
【００１０】
（ｂ）成分は組成物中に０．１〜１０重量％配合され、０．５〜３重量％、特に１〜２．５重量％配合されることが洗浄性能を高める上で好ましい。
【００１１】
（ｃ）成分の炭素数８〜１８の脂肪酸は、飽和、不飽和の何れでも良いが、直鎖の飽和脂肪酸が好ましい。（ｃ）成分としては、カプリン酸、ラウリン酸及びミスチリン酸の１種以上が好ましい。より好ましくは、全（ｃ）成分中、カプリン酸を１０重量％以下、特には５重量％以下、ラウリン酸を８０重量％以上、特には９０重量％以上、及びミリスチン酸を１０重量％以下、特には５重量％以下の組成を有するものであり、最も好ましくは、（ｃ）成分がラウリン酸単体から実質的になるものであり、ラウリン酸の比率が９０重量％以上のものである。
【００１２】
（ｃ）成分は、組成物中では中和され脂肪酸塩の形態をとることが好ましく、対イオンとしては、ナトリウム、カリウム、マグネシウム、カルシウム、アンモニウム又はモノ、ジもしくはトリエタノールアミンが好ましく、特にナトリウム又はカリウムが好ましい。
【００１３】
（ｃ）成分は、洗浄後の手指へのヌル付き感又は残留感を低減させるために、好ましくは組成物中に０．５〜４重量％含有される。また、ヌル付き又は残留感をより少なくする為に（ａ）成分と（ｃ）成分の重量比は、（ａ）／（ｃ）＝１０〜８０が好ましい。
【００１４】
本発明の液体洗浄剤組成物は、よりヌル付き感又は残留感を少なくし、安定性を向上させるために、更に炭素数２〜８のポリカルボン酸を０．１〜１０重量％含有することが好ましく、より好ましくは、０．５〜５重量％、特に好ましくは１〜３重量％含有することが好ましい。炭素数２〜８のポリカルボン酸としては、乳酸、コハク酸、クエン酸、リンゴ酸及びグルコン酸から選ばれるものが好ましく、特にクエン酸が安定性に最も効果的である。炭素数２〜８のポリカルボン酸は組成物中で中和され塩であることが好ましい。対イオンとしては、ナトリウム、カリウム、マグネシウム、カルシウム、マグネシウム、アンモニウム又はモノ、ジもしくはトリエタノールアミンが好ましく、特にナトリウム、カリウムが好ましい。
【００１５】
本発明において、（ａ）成分、（ｂ）成分及び（ｃ）成分もしくは（ａ）成分、（ｂ）成分、（ｃ）成分及び炭素数２〜８のポリカルボン酸の合計量は１５〜６０重量％が好ましく、より好ましくは２０〜５０重量％である。
【００１６】
本発明の液体洗浄剤組成物は、更にアルキルヒドロキシスルホベタインを０．１〜５重量％、特に１〜４重量％含有することにより、より安定性が向上し、本発明の効果に加えて、泡立ちが向上するため好ましい。アルキルヒドロキシスルホベタインとしては、下記一般式（ＩＩＩ）  により示されるものが好ましい。
【００１７】
【化２】
0003563615.tif 000003
【００１８】
（式中、Ｒ６  は炭素数１０〜１６のアルキル基）
ヌル付き又は残留感を少なくするために、本発明の液体洗剤組成物は、アルキルベンゼンスルホン酸、ポリオキシエチレンアルキルエーテル硫酸、アルキル硫酸及びアルファオレフィン硫酸並びにこれらの塩の含有量が１．０重量％以下であることが好ましい。
【００１９】
本発明の液体洗剤組成物には、（ｂ）成分以外の両性界面活性剤、（ａ）成分以外の非イオン界面活性剤（ヤシ油又はパーム核油由来の脂肪酸アルカノールアミド、アルキルベタイン又はポリオキシエチレンアルキルエーテルが好ましい）、低級アルコール類（エタノール、イソプロパノールが好ましい）、グリコール類（プロピレングリコール、分子量が２０００までのポリプロピレングルコールが好ましい）、芳香族スルホン酸塩（ｐ−トルエンスルホン酸塩、ｍ−キシレンスルホン酸塩が好ましい）、防腐・防かび剤〔プロキセルＢＤＮ（ゼネカ株式会社製）、ケーソンＣＧ（ロームアンドハースジャパン株式会社製）等〕、香料、色素等を含有することができる。
【００２０】
本発明の液体洗浄剤組成物は、通常、上記（ａ）〜（ｃ）成分と任意成分に水を加えて調製される。また、本発明の組成物の２０℃におけるｐＨは６〜８であり、適当な酸（塩酸等）やアルカリ（水酸化ナトリウム等）を用いてｐＨが調整される。本発明の組成物は、各種硬質表面、特に食器用の液体洗浄剤組成物として適している。
【００２１】
【実施例】
表１に示す液体洗浄剤組成物を調製し、以下の実験を行った。その結果を表１に示す。
【００２２】
（１）油汚れ洗浄力試験
牛脂に指示薬としてスダンＩＩＩ  （赤色色素）を０．１％添加し、この２．５ｇを磁製の皿（直径２５ｃｍ）に塗布した。これを洗剤組成物１．５ｇを水（硬度３．５°ＤＨ）２７ｇに溶解した洗剤溶液をしみ込ませたスポンジを用いて液温２０℃で擦り洗いし、牛脂が十分に洗浄・除去できた皿の枚数をもって洗浄力を表した。
【００２３】
（２）ヌル付き又は残留感試験
各組成物の１％水溶液１Ｌを３０℃に調製し、各組成物水溶液中に両手を２０秒間浸漬し、３０℃の水道水にて１分間手を洗った。手洗い後の手の感じを手洗い用固形石けん（商品名：ホワイト、花王（株））の感触と比較した。試験毎に固形石けんで手洗いを行い、最低１時間以上の試験間隔をおいた。下記の基準により残留感の評価を行い、５人の平均点を求めた。
５点：ヌル付き又は残留感が無い（固形石けんと同等）
４点：ヌル付き感又は残留感を僅かに感じる。
３点：ヌル付き感又は残留感を少し感じる。
２点：ヌル付き感又は残留感を感じる。
１点：明らかにヌル付き感又は残留感を感じ、更に水洗いをしたいと感じる。
【００２４】
（３）低温安定性
各組成物を１００ｍｌのガラス瓶に充填し、−５℃の恒温槽中に１０日間保存後の外観を下記基準に従って判定した。
◯：透明である。
△：やや白濁する。
×：分離又は沈殿する。
【００２５】
（４）泡立ち試験
各組成物の０．２５％水溶液中に市販バターを０．１％添加した溶液の起泡力を測定する。測定法は、直径５ｃｍ、高さ１２ｃｍの円筒ガラス容器に組成物の０．２５％水溶液４０ｍｌを入れ、２０℃の恒温水槽中で十分に温調した後バター０．０４ｇを添加し１５分間回転撹拌を行い、停止直後の泡高さを測定した。評価基準は泡高さが９０ｍｍ以上の場合を◎、８０ｍｍ以上９０ｍｍ未満の場合を○、７０ｍｍ以上８０ｍｍ未満の場合を△、７０ｍｍ未満の場合を×とした。
【００２６】
【表１】
0003563615.tif 000004
【００２７】
＊アルキルポリグリコシド：一般式（Ｉ）中のＲ１  が炭素数１２の直鎖のアルキル基、Ｇはグルコースに由来する残基、ｘが０、ｙが１．３６のもの
＊アルキルアミンオキサイド：一般式（ＩＩ）中のＲ３  が炭素数１２の直鎖のアルキル基、Ｒ４  、Ｒ５  が共にメチル基のもの
＊アルキルヒドロキシスルホベタイン：一般式（ＩＩＩ）  中のＲ６  が炭素数１２のアルキル基のもの
【００２８】
【発明の効果】
本発明によれば、使用後の手肌に対するヌル付き感又は残留感が低く、保存安定性及び洗浄力に優れ、更に泡立ち性に優れる食器等の洗浄に適した液体洗浄剤組成物が得られる。